(57)【要約】【課題】一組のリールのみを用いた遊技の単調さを解消し、特定入賞役の目押しに失敗した場合でも、遊技者が遊技を充分に楽しむことのできる遊技機を提供する。【解決手段】可変表示装置に加えて、第２可変表示装置を有し、特定入賞役の当選に基づいて可変表示装置で行われた可変表示の結果として特定遊技入賞態様が不成立となった場合であっても、第２可変表示装置で行われた可変表示の結果として予め定めた当選態様が出現した場合には、所定の遊技価値を遊技者に付与する。たとえば、小当たりが高確率で発生する特別遊技を複数回提供する。【選択図】図１
2004049698.tif 000002
【特許請求の範囲】
【請求項１】
複数種類の識別情報を可変表示可能な複数の可変表示部を有する可変表示装置と、入賞役の抽選を行う入賞役抽選手段と、前記入賞役抽選手段の抽選結果に基づいて前記可変表示装置の動作を制御するとともに前記入賞役抽選手段の抽選結果が特定入賞役の当選の場合に特定の識別情報の組合せからなる特定遊技入賞態様を遊技者の停止操作に基づいて成立可能にする可変表示制御手段とを備え、前記可変表示装置における可変表示が停止した際の表示結果が前記特定遊技入賞態様となった場合に所定の遊技価値を遊技者に付与可能な特定遊技状態を発生させる遊技機において、
複数種類の識別情報を可変表示可能な可変表示部を１または２以上有する第２可変表示装置と、前記第２可変表示装置における識別情報の可変表示を制御する第２可変表示制御手段とを有し、
前記特定入賞役の当選に基づいて前記可変表示装置で行われた可変表示の結果として前記特定遊技入賞態様が不成立であっても、前記第２可変表示装置で行われた可変表示の結果として予め定めた当選態様が出現したとき、所定の遊技価値を遊技者に付与する
ことを特徴とする遊技機。
【請求項２】
前記可変表示装置で前記特定遊技入賞態様が不成立となった場合に、前記第２可変表示装置で可変表示を実行する
ことを特徴とする請求項１に記載の遊技機。
【請求項３】
前記特定入賞役の当選に基づいて前記可変表示装置で可変表示を行うとき、これと並行して前記第２可変表示装置で可変表示を実行する
ことを特徴とする請求項１に記載の遊技機。
【請求項４】
前記特定遊技入賞態様が不成立であっても特定入賞役の当選権利を維持する場合は、当該当選権利が維持されている間に行う前記第２可変表示装置での可変表示をその実行回数もしくは当選態様の出現回数によって制限する
ことを特徴とする請求項２または３に記載の遊技機。
【請求項５】
前記当選態様の種類に応じて遊技者に付与する遊技価値の大きさを相違させる
ことを特徴とする請求項１に記載の遊技機。
【請求項６】
前記第２可変表示装置で行われる可変表示を遊技者の停止操作に基づいて停止させる
ことを特徴とする請求項１に記載の遊技機。
【請求項７】
前記第２可変表示装置に当選態様が出現したことに基づく遊技価値の付与は、小当たりが通常よりも高確率で発生する特別遊技の実行される特別遊技状態を発生させることによって行われる
ことを特徴とする請求項１、２、３、４、５または６に記載の遊技機。
【請求項８】
当該遊技機がスロットマシンである
ことを特徴とする請求項１、２、３、４、５、６または７に記載の遊技機。
【発明の詳細な説明】
【０００１】
【発明の属する技術分野】
本発明は、複数種類の識別情報を可変表示可能な複数の可変表示部を有する可変表示装置と、入賞役の抽選を行う入賞役抽選手段と、入賞役抽選手段の抽選結果に基づいて可変表示装置の動作を制御するとともに入賞役抽選手段の抽選結果が特定入賞役の当選の場合に特定の識別情報の組合せからなる特定遊技入賞態様を遊技者の停止操作に基づいて成立可能にする可変表示制御手段とを備え、可変表示装置における可変表示が停止した際の表示結果が特定遊技入賞態様となった場合に所定の遊技価値を遊技者に付与可能な特定遊技状態を発生させる遊技機に関する。
【０００２】
【従来の技術】
従来のこの種の遊技機として、ゲーム媒体投入後に遊技者がスタート操作を行うことで、各種図柄が周面に配列された３個のリールが回転し、その後、遊技者による停止スイッチの押下に応じてリールの回転を停止させ、有効ライン上に特定の識別情報が揃う特定遊技入賞態様が成立すると、賞としてゲーム媒体が払い出されたり、多量のゲーム媒体を獲得可能な特定遊技状態（いわゆる、ビッグボーナスやレギュラーボーナス）を発生させるスロットマシンがある。
【０００３】
特定遊技入賞態様は、遊技機内部で行われる乱数抽選で特定入賞役が当選した場合にのみ成立可能（フラグの立つ状態）となり、特定入賞役に当選した状態で、いわゆる目押しにより、遊技者が適切なタイミングで停止スイッチを操作すると、特定遊技入賞態様が成立するようになっている。
【０００４】
【発明が解決しようとする課題】
しかしながら、従来のスロットマシンでは、３つのリールを一組としたゲームが行われるだけなので、ゲーム内容が単調になりがちであった。また、特定入賞役に当選している状態で特定遊技入賞態様が成立しなかった場合でも、これら一組のリールがすべて停止した時点でゲームが終了するので、特定入賞役の当選に対する遊技者の期待感が一気に消滅してしまうとともに、特定入賞役の当選に伴う利益を十分獲得することができず、特に技量の優れない遊技者においては、遊技を充分に楽しむことができないという問題があった。
【０００５】
本発明は、かかる問題点を解決すべくなされたもので、一組のリールのみを用いた遊技の単調さを解消し、特定入賞役の目押しに失敗した場合でも、遊技者が遊技を充分に楽しむことのできる遊技機を提供することを目的とする。
【０００６】
【課題を解決するための手段】
かかる目的を達成するための本発明の要旨とするところは、次の各項の発明に存する。
［１］複数種類の識別情報を可変表示可能な複数の可変表示部を有する可変表示装置（２０）と、入賞役の抽選を行う入賞役抽選手段（８６）と、前記入賞役抽選手段（８６）の抽選結果に基づいて前記可変表示装置（２０）の動作を制御するとともに前記入賞役抽選手段（８６）の抽選結果が特定入賞役の当選の場合に特定の識別情報の組合せからなる特定遊技入賞態様を遊技者の停止操作に基づいて成立可能にする可変表示制御手段（８４）とを備え、前記可変表示装置（２０）における可変表示が停止した際の表示結果が前記特定遊技入賞態様となった場合に所定の遊技価値を遊技者に付与可能な特定遊技状態を発生させる遊技機において、
複数種類の識別情報を可変表示可能な可変表示部を１または２以上有する第２可変表示装置（５２）と、前記第２可変表示装置（５２）における識別情報の可変表示を制御する第２可変表示制御手段（８９）とを有し、
前記特定入賞役の当選に基づいて前記可変表示装置（２０）で行われた可変表示の結果として前記特定遊技入賞態様が不成立であっても、前記第２可変表示装置（５２）で行われた可変表示の結果として予め定めた当選態様が出現したとき、所定の遊技価値を遊技者に付与する
ことを特徴とする遊技機。
【０００７】
［２］前記可変表示装置（２０）で前記特定遊技入賞態様が不成立となった場合に、前記第２可変表示装置（５２）で可変表示を実行する
ことを特徴とする［１］に記載の遊技機。
【０００８】
［３］前記特定入賞役の当選に基づいて前記可変表示装置（２０）で可変表示を行うとき、これと並行して前記第２可変表示装置（５２）で可変表示を実行する
ことを特徴とする［１］に記載の遊技機。
【０００９】
［４］前記特定遊技入賞態様が不成立であっても特定入賞役の当選権利を維持する場合は、当該当選権利が維持されている間に行う前記第２可変表示装置（５２）での可変表示をその実行回数もしくは当選態様の出現回数によって制限する
ことを特徴とする［２］または［３］に記載の遊技機。
【００１０】
［５］前記当選態様の種類に応じて遊技者に付与する遊技価値の大きさを相違させる
ことを特徴とする［１］に記載の遊技機。
【００１１】
［６］前記第２可変表示装置（５２）で行われる可変表示を遊技者の停止操作に基づいて停止させる
ことを特徴とする［１］に記載の遊技機。
【００１２】
［７］前記第２可変表示装置（５２）に当選態様が出現したことに基づく遊技価値の付与は、小当たりが通常よりも高確率で発生する特別遊技の実行される特別遊技状態を発生させることによって行われる
ことを特徴とする［１］、［２］、［３］、［４］、［５］または［６］に記載の遊技機。
【００１３】
［８］当該遊技機がスロットマシンである
ことを特徴とする［１］、［２］、［３］、［４］、［５］、［６］または［７］に記載の遊技機。
【００１４】
次に、前記各項に記載された発明の作用について説明する。
［１］に記載の発明では、可変表示装置（２０）に加えて、第２可変表示装置（５２）を有し、特定入賞役の当選に基づいて可変表示装置（２０）で行われた可変表示の結果として特定遊技入賞態様が不成立となった場合であっても、第２可変表示装置（５２）で行われた可変表示の結果として予め定めた当選態様が出現した場合には、所定の遊技価値を遊技者に付与するようになっている。これにより、目押しに失敗した場合でも、遊技価値獲得の機会が遊技者に与えられる。また、可変表示装置（２０）での遊技に加えて第２可変表示装置（５２）でも遊技が行われるので、遊技内容が変化に富むものになる。
【００１５】
なお、特定遊技入賞態様の成否にかかわらず、第２可変表示装置（５２）での可変表示を行うように構成してもよい。すなわち、可変表示装置（２０）で特定遊技入賞態様が出現した場合でも第２可変表示装置（５２）での可変表示を実行し、特定遊技状態の発生に加えて、第２可変表示装置（５２）での可変表示の結果による遊技価値をさらに獲得可能な構成としてもよい。
【００１６】
［２］に記載の発明では、可変表示装置（２０）における可変表示の結果が特定遊技入賞態様の不成立となった場合に、第２可変表示装置（５２）で可変表示が実行される。すなわち、特定遊技入賞態様の不成立が確定した後、第２可変表示装置（５２）での可変表示が開始し、その結果により遊技価値が遊技者に付与可能になる。これにより、特定入賞役の当選によって喚起した遊技者の遊技価値獲得に対する期待感を特定遊技入賞態様が不成立となった後も維持させ、遊技を長く楽しませることができる。
【００１７】
［３］に記載の発明では、特定入賞役の当選に基づいて可変表示装置（２０）で可変表示を行うとき、これと並行して第２可変表示装置（５２）で可変表示を実行する。このように２つの可変表示が同時進行するので、遊技内容が変化に富み、かつ遊技者のスリルと興奮を充分に喚起することができる。この場合、可変表示装置（２０）で特定遊技入賞態様が不成立となった後に、第２可変表示装置（５２）での可変表示を停止させてもよいし、逆に、第２可変表示装置（５２）での可変表示を先に停止させる構成としてもよい。前者の場合、特定遊技入賞態様が不成立となってから可変表示を開始するものに比べて、第２可変表示装置（５２）での結果を早期に導出することができる。また特定遊技入賞態様が不成立となった後も遊技者の遊技価値獲得に対する期待感を維持することができる。一方、後者の場合、特定遊技入賞態様が不成立となった場合にも別の遊技価値を獲得できるか否かが特定遊技入賞態様の成否が判明する前に分かるので、獲得可能な場合には、比較的安心して可変表示装置（２０）での可変表示の停止操作を行うことが可能となり、獲得不能の場合には可変表示装置（２０）での可変表示の停止操作により一層の集中すべきことを促すことができる。
【００１８】
［４］に記載の発明では、特定遊技入賞態様が不成立であっても特定入賞役の当選権利を維持する場合は、当該当選権利が維持されている間に行う第２可変表示装置（５２）での可変表示がその実行回数もしくは当選態様の出現回数によって制限される。特定遊技入賞態様が不成立の場合に特定入賞役の当選権利を維持すれば、それだけ第２可変表示装置（５２）での可変表示の実行される機会が増え、遊技者にとっては、遊技価値獲得のチャンスが増加する。一方、付与する遊技価値が無制限に増加することを防止すべく、当選権利が維持されている期間における第２可変表示装置（５２）での可変表示の実行回数や、当選態様の出現回数を制限している。
【００１９】
［５］に記載の発明では、当選態様の種類に応じて遊技者に付与する遊技価値の大きさが相違するので、第２可変表示装置（５２）にどの種類の当選態様が現れるかにも遊技者の関心が向き、遊技の面白さがさらに増大する。
【００２０】
［６］に記載の発明では、第２可変表示装置（５２）で行われる可変表示を遊技者の停止操作に基づいて停止させるようになっている。これにより、実質的に目押しのチャンスが２回与えられたことになる。たとえば、停止スイッチを兼用し、最初の停止操作では可変表示装置（２０）の可変表示が停止し、次の停止操作では第２可変表示装置（５２）の可変表示が停止するように構成するとよい。
【００２１】
［７］に記載の発明では、第２可変表示装置（５２）に当選態様が出現したことに基づく遊技価値の付与は、小当たりが通常よりも高確率で発生する特別遊技の実行される特別遊技状態を発生させることによって行われる。すなわち、遊技価値は、特別遊技を通じて付与される。
【００２２】
［８］に記載の発明では、当該遊技機をスロットマシンに特定している。
【００２３】
【発明の実施の形態】
以下、図面に基づき本発明の一実施の形態について説明する。
図１および図２に示すように、本発明の実施の形態にかかわるスロットマシン１０は、縦長の略直方体形状を成した箱体１１を有し、箱体１１の内部には、絵や記号、数字、文字等の複数種類の図柄が周面に描かれた左リール２０ａ、中リール２０ｂおよび、右リール２０ｃが軸を共通にして並設されている。箱体１１の正面１１ａには、各リール２０ａ〜２０ｃに対応する箇所に観察窓が設けられている。３個のリール２０ａ，２０ｂ，２０ｃは、周面に描かれた図柄をバックライトで照らす照明手段を内蔵しており、観察窓を通してリールの図柄が明るく輝いて見えるようになっている。リール２０ａ〜２０ｃは、それぞれ図示省略のステッピングモータによって回転駆動される。各リール２０ａ〜２０ｃとその駆動部は、それぞれ可変表示部として機能し、これら３つの可変表示部により可変表示装置２０は構成されている。
【００２４】
リール２０ｃの右隣には、各種の遊技情報を遊技者に通知するための遊技情報表示部５０が設けてある。遊技情報表示部５０は、液晶ディスプレイで構成されている。リール２０ａ〜２０ｃの上方には、左表示部５２ａ、中表示部５２ｂ、右表示部５２ｃの３つの可変表示部からなる第２可変表示装置５２が配置されている。第２可変表示装置５２は、液晶ディスプレイで構成されている。なお、第２可変表示装置５２は、可変表示を通じて識別情報を可変表示し得るものであれば液晶ディスプレイに限られるものではなく、他の形式のディスプレイ装置、７セグメントＬＥＤ、あるいは周面には各種図柄の描かれたリールを回転駆動する構成としてもよい。またここでは、３つの可変表示部５２ａ〜５２ｃを有しているが、可変表示部の数がこれに限定されず、１つであっても良いし、２つ、あるいは４つ以上であってもよい。
【００２５】
リール２０ａ〜２０ｃの下方には、リール２０ａ〜２０ｃのそれぞれに対応して、左ストップボタン３２ａ、中ストップボタン３２ｂ、右ストップボタン３２ｃが設けられている。３個のストップボタン３２ａ，３２ｂ，３２ｃは、各リール２０ａ，２０ｂ，２０ｃの回転動作を停止させるタイミングを遊技者が選択するための停止操作部である。
【００２６】
箱体１１の正面にやや突出して設けられた操作パネルには、ゲーム媒体としてのメダルを投入するためのメダル投入口１２と、ゲームを開始するためのスタートレバー３１と、１枚賭けボタン３３ｂと３枚賭けボタン３３ａから成るクレジット投入ボタンと、クレジット精算ボタン３４とが配されている。
【００２７】
リール２０ａ〜２０ｃの下方には、内部に保有されているメダルの枚数（クレジット数）を表示するためのクレジット数表示部４２、ゲームセット数表示部４４、賞として払い出されるメダルの枚数等が表示される払出情報表示部４５が配置されている。スロットマシン１０の正面下部には、賞出皿１３、メダル払出口１３ａおよび、メダルの賞出があったことを音で知らせるスピーカー１４が設けられている。
【００２８】
メダル投入口１２にメダルを投入するか、もしくはクレジット数表示部４２に表示されているメダル数（クレジット数）をクレジット投入ボタン（１枚賭けボタン３３ｂ、３枚賭けボタン３３ａ）を押下して賭けることにより、有効ライン数を決定することができ、決定された有効ラインが有効ライン表示部４３ａ〜４３ｅに表示（点灯）される。
【００２９】
スロットマシン１０では、メダル投入もしくはクレジット使用後にスタートレバー３１を操作することで、リール２０ａ〜２０ｃの回転が開始し、ストップボタン３２ａ〜３２ｃを操作することにより、回転中の各リール２０ａ，２０ｂ，２０ｃが停止し、停止時の表示態様に応じて遊技者に遊技価値が付与されるというゲームが展開される。
【００３０】
すなわち、有効ライン上に停止した図柄（識別情報）の組合せが、「７７７」など特定図柄の組合せになると特定遊技入賞態様の成立（特定入賞役の成立）となる。また小当たり図柄の組合せが有効ライン上に停止した場合には小当たり役の成立となる。リプレイ図柄の場合にはリプレイ役の成立となり、いずれの役も成立しない場合は、はずれとなる。
【００３１】
スロットマシン１０の正面上部には、フラグ成立ランプ４１が設けられている。フラグ成立ランプ４１は、遊技者が適切なタイミングで停止操作を行えば特定遊技入賞態様の成立可能な状態（フラグの立っている状態）で可変表示（遊技）が行われていることを遊技者に報知する機能を果たす。
【００３２】
図１に示すように、スロットマシン１０の内部には、ＣＰＵ８０が設けられ、ＣＰＵ８０は、遊技制御手段８２、可変表示制御手段８４、入賞役抽選手段８６、特別遊技抽選手段８８、第２可変表示制御手段８９等としての機能を有している。ＣＰＵには、可変表示にかかわる遊技を実行するための遊技プログラムや各種データの記録されるＲＯＭ、遊技に伴って随時算出される演算値等を記録するためのＲＡＭ、並びにインターフェース等が接続されている。
【００３３】
遊技制御手段８２は、スロットマシン１０全体の動作を統括制御するものである。可変表示制御手段８４は、リール２０ａ〜２０ｃの回転動作を制御するものである。入賞役抽選手段８６は、可変表示の停止結果として出現し得る入賞役を定めるための抽選を行うものである。入賞役抽選手段８６は、投入されたメダルの真正をメダル識別部が識別し、かつ、スタートレバー３１が操作されると、入賞役の抽選を行うようになっている。特別遊技抽選手段８８は、特定入賞役の当選権利に基づいて行った可変表示において特定遊技入賞態様が成立しなかった場合に、特定入賞役の当選権利を消滅させるとともに、新たな抽選（特別遊技抽選）を行うものである。第２可変表示制御手段８９は、第２可変表示装置５２における可変表示を制御するものである。第２可変表示装置５２では、可変表示部５２ａ〜５２ｃのそれぞれで数字の図柄が上から下へスクロールする様子が可変表示された後、可変表示が順次停止し、可変表示部５２ａ〜５２ｃのそれぞれに１つずつ図柄が停止し、特定の図柄が揃うと遊技価値が付与可能な特別遊技状態が発生するという内容の第２遊技が実行される。
【００３４】
可変表示制御手段８４は、ストップボタン３２ａ，３２ｂ，３２ｃの操作により選択された停止タイミングで、対応するリール２０ａ，２０ｂ，２０ｃを停止させ、必要により、上または下方に最大で４コマ分の図柄を滑らせて（ずらして）、停止する図柄を可変表示制御手段８４や入賞役抽選手段８６の抽選結果に対応させる機能を有している。これにより、入賞役抽選手段８６や特別遊技抽選手段８８の抽選結果に応じた停止態様が形成される。すなわち、入賞役に当選している場合には、遊技者が適切なタイミングで停止操作を行うことにより該当の入賞役が成立可能にリール２０ａ〜２０ｃの停止制御が行われる。一方、入賞役に当選していない場合には、遊技者がいかなるタイミングで停止操作を行っても、入賞役が成立しないように、リール２０ａ〜２０ｃの停止制御が行われる。
【００３５】
可変表示の結果として有効ライン上に「７７７」と揃う等の特定遊技入賞態様が成立すると、特定遊技状態が発生する。特定遊技状態にはレギュラーボーナス（以下単に、ＲＢと称する。）と、ビッグボーナス（以下、単にＢＢと称する。）とがある。これに対応して特定遊技入賞態様にもＲＢ用とＢＢ用とがあり、ＲＢ用の特定遊技入賞態様が成立するとＲＢが発生し、ＢＢ用の特定遊技入賞態様が成立するとＢＢが発生するようになっている。
【００３６】
ＲＢは、例えば、高配当が付与される高配当遊技（ジャックゲーム）を複数回（例えば、ジャックゲーム回数１２回中に１５枚のゲーム媒体が賞出される回数が８回発生するか、又は、１２回分のジャックゲームを超えると終了する。）行い得る状態である。
【００３７】
ＢＢは、所定回数（３０回）小当たりが高確率で発生する一般遊技が発生し、その一般遊技中に、例えば、リプレイ識別情報が停止することで、高配当が付与される高配当遊技（ジャックゲーム）を複数回（例えば、ジャックゲーム回数１２回中に１５枚のゲーム媒体が賞出される回数が８回発生するか、又は、１２回分のジャックゲームを超えると終了する。）行い得るＲＢに移行し、ＲＢが終了すると一般遊技に移行される。ＲＢは一般遊技が所定回数（３０回）行われるまでに所定回数（３回）繰り返される。例えば、一般遊技中の３０回以内にＲＢが３回繰り返されるか、または、一般遊技を３０回行うとビッグボーナスは終了する。一般遊技では小当たりが発生する毎に、例えばメダル１０枚が賞出されるようになっている。
【００３８】
以下、本実施の形態の作用を説明する。
図３〜図１６は、スロットマシン１０で行われる遊技の流れを示している。図３に示すように、まずメダルの投入やスタートレバー３１の操作を受付けるゲーム開始処理（ステップＳ３０１）が行われ、ゲームが開始すると、入賞役を定めるための乱数抽出処理（ステップＳ３０２）が行われる。リール回転処理（ステップＳ３０３）では、リールが回転（可変表示）を開始し、その後、ストップボタンの押下に応じてリールの回転が順次停止するまでの工程が行われる。可変表示の結果が何らかの入賞役か否かを判定し、入賞識別情報停止（入賞役の成立）でなければ（ステップＳ３０４：Ｎ）、ステップＳ３０１に戻る。入賞識別情報停止（入賞役の成立）であれば（ステップＳ３０４：Ｙ）、成立した入賞役の内容を判定する入賞識別情報判定処理を実行する（ステップＳ３０５）。また遊技終了であれば（ステップＳ３０６：Ｙ）、遊技を終了し、遊技終了でなければ（ステップＳ３０６：Ｎ）、ステップＳ３０１に戻って遊技を継続する。以下、それぞれの処理を詳細に説明する。
【００３９】
図４は、ゲーム開始処理の流れを示している。すなわち、クレジット有り（ステップＳ４０１：Ｙ）、かつ、クレジット投入あり（ステップＳ４０２：Ｙ）で、スタートレバー３１の操作が有効になる（ステップＳ４０４）。また、クレジットなし（ステップＳ４０１：Ｎ）あるいは、クレジット投入なし（ステップＳ４０２：Ｎ）でもメダル投入があれば（ステップＳ４０３：Ｙ）、スタートレバー３１の操作が有効になる（ステップＳ４０４）。一方、メダルの投入もなければ（ステップＳ４０３：Ｎ）、ステップＳ４０１に戻る。
【００４０】
図５は、乱数抽出処理の流れを示している。すなわち、入賞役を決定するための乱数抽出が行われ（ステップＳ５０１）、ビッグボーナス乱数（特定入賞役の当選）であれば（ステップＳ５０２：Ｙ）、ビッグボーナス乱数が記憶される（ステップＳ５０３）。レギュラーボーナス乱数であれば（ステップＳ５０４：Ｙ）、レギュラーボーナス乱数が記憶される（ステップＳ５０３）。小役乱数であれば（ステップＳ５０５：Ｙ）、小役乱数が記憶される（ステップＳ５０３）。リプレイ乱数であれば（ステップＳ５０６：Ｙ）、リプレイ乱数が記憶される（ステップＳ５０３）。はずれ乱数であれば（ステップＳ５０６：Ｎ，ステップＳ５０７）、はずれ乱数が記憶される（ステップＳ５０３）。
【００４１】
図６は、リール回転処理の流れを示している。まずリール２０ａ〜２０ｃの回転を開始する（ステップＳ６０１）。そして、回転開始から所定時間が経過する前に（ステップＳ６０２：Ｎ）、ストップボタンが押下され（ステップＳ６０３：Ｙ）かつ、対応するリールが回転中であれば（ステップＳ６０４：Ｙ）、対応するリールの回転を停止させる（ステップＳ６０５）。一方、ストップボタンが押下されないか（ステップＳ６０３：Ｎ）、もしくはストップボタンは押下されたがそれに対応するリールが回転中でない場合には（ステップＳ６０４：Ｎ）、ステップＳ６０２に戻り、ストップボタンの操作を待機する。回転中のリールがまだ存在するならば（ステップＳ６０６：Ｙ）、ステップＳ６０２に戻り、回転中のリールが無くすべてのリールが停止したならば（ステップＳ６０６：Ｎ）、本処理を終了する（リターン）。一方、回転開始から所定時間が経過すると（ステップＳ６０２：Ｙ）、ストップボタンが押下されなくても、リールの回転を強制的に停止させる（ステップＳ６０７）。
【００４２】
なお、入賞役に当選していない場合には、遊技者がストップボタン３２ａ〜３２ｃを操作するタイミングにかかわらずいずれの入賞役も成立しないようにリール２０ａ〜２０ｃの停止位置が制御される。入賞役に当選している場合には、その入賞役が成立可能となり、遊技者が目押しによって適切なタイミングでストップボタン３２ａ〜３２ｃを操作すると、該当の入賞役が成立するようにリール２０ａ〜２０ｃの停止が制御される。
【００４３】
図７は、入賞識別情報判定処理の流れを示している。可変表示の結果として、ビッグボーナス識別情報が停止（特定遊技入賞態様の成立）していれば（ステップＳ７０１：Ｙ）、ビッグボーナス遊技処理が行われる（ステップＳ７０２）。ビッグボーナス識別情報停止でないが（ステップＳ７０１；Ｎ）、今回の遊技がビッグボーナス乱数の当選に基づいて行われたものである（特定入賞役に当選していた）場合には（ステップＳ７０３；Ｙ）、特別遊技乱数抽出処理が行われる（ステップＳ７０４）。また第２可変表示装置５２において第２遊技を開始する（ステップＳ７０５）。すなわち、可変表示部５２ａ〜５２ｃで可変表示を開始し、特別遊技乱数抽選の結果に対応する表示態様が形成されるように、可変表示を停止させる。ここでは特別遊技乱数抽出処理において小役ゲーム３０回（特別遊技３０回）に当選している場合は、第２可変表示装置５２に「７７７」と揃う第１当選態様が出現し、小役ゲーム２０回（特別遊技２０回）に当選している場合は、第２可変表示装置５２に「３３３」と揃う第２当選態様が出現するようになっている。第２可変表示装置５２における可変表示の結果として第１当選態様もしくは第２当選態様が出現した場合には（ステップＳ７０６；ＹまたはステップＳ７０７；Ｙ）、特別遊技状態に入り、特別遊技処理を行う（ステップＳ７０８）。第２可変表示装置５２に第１または第２当選態様が出現しない場合には（ステップＳ７０７；Ｎ）、図３のＡに戻り、特別遊技は行われない。なおＡに戻ることに代えて入賞識別情報判定処理からリターンするようにしてもよい。
【００４４】
ビッグボーナス識別情報停止でなく（ステップＳ７０１；Ｎ）かつビッグボーナス乱数に当選していない場合には（ステップＳ７０３；Ｎ）、図８のＢへ移る。そして可変表示の停止態様がレギュラーボーナス識別情報停止であれば（ステップＳ８０１：Ｙ）、レギュラーボーナス遊技処理が行われ（ステップＳ８０２）、小役識別情報停止であれば（ステップＳ８０３：Ｙ）、所定枚数のメダルの払い出し又はクレジットが行われる（ステップＳ８０４）。リプレイ識別情報停止であれば（ステップＳ８０５；Ｙ）、リプレイ遊技を実行し（ステップＳ８０６）、図７のＣに戻って入賞識別情報判定処理を終了する。リプレイ識別情報停止でなければ（ステップＳ８０５；Ｎ）、図３のＡに戻る。なおＡに戻ることに代えて図７のＣに戻り、入賞識別情報判定処理を終了するようにしてもよい。
【００４５】
図９は、特別遊技乱数抽出処理を示している。まず、ビッグボーナス乱数の当選を消去する（ステップＳ９０１）。そして新たに乱数を抽出し（ステップＳ９０２）、その乱数値が小役ゲーム３０回の当選であるか（ステップＳ９０３；Ｙ）、小役ゲーム２０回の当選であるか（ステップＳ９０４；Ｙ）、はずれであるか（ステップＳ９０４；Ｎ、Ｓ９０５）を判定し、判定結果をメモリに格納して（ステップＳ９０６）処理を終了する（リターン）。
【００４６】
図１０は、特別遊技状態で行われる特別遊技処理の流れを示している。まずゲーム開始処理（ステップＳ１００１）、およびリール回転処理（ステップＳ１００２）が行われる。これらの処理の詳細は図４、図６に示したものと同様である。なお、リール回転処理においてリールが回転しているとき、今回の遊技で揃えるべき識別情報を遊技情報表示部５０に案内表示する（ステップＳ１００３）。リールの回転が停止した際に、該当する識別情報が停止している場合には（ステップＳ１００４；Ｙ）、所定枚数のメダルの払い出しもしくはクレジットの付与を行う（ステップＳ１００５）。そして、特別遊技処理（特別遊技状態）に入ってから行われたゲーム回数を積算し（ステップＳ１００６）、その値が特別遊技乱数抽出処理において抽選したゲーム回数の限度に達した場合には（ステップＳ１００７；Ｙ）、特別遊技処理（特別遊技状態）を終了する（リターン）。
【００４７】
図１１および図１２は、ビッグボーナス遊技処理の流れを示している。まずゲーム開始処理（ステップＳ１１０１）、およびリール回転処理（ステップＳ１１０２）が行われる。これらの処理の詳細は図４、図６に示したものと同様である。可変表示の結果、ジャックゲーム識別情報が停止すれば（ステップＳ１１０３：Ｙ）、図１２のＦに移行する。
【００４８】
一方、ジャックゲーム識別情報が停止しなければ（ステップＳ１１０３：Ｎ）、ビッグボーナス中小役ゲーム処理が行われる（ステップＳ１１０４）。その後、小役ゲーム回数が積算され（ステップＳ１１０５）、小役ゲーム限度回数であれば（ステップＳ１１０６：Ｙ）図１２のＥに移行し、ビッグボーナスが終了（ステップＳ１２０７）してリターンする。小役ゲーム限度回数でなければ（ステップＳ１１０６：Ｎ）、ステップＳ１１０１に戻る。
【００４９】
図１２のＦに移行すると、ジャックゲーム開始処理（ステップＳ１２０１）、ジャックゲーム処理が行われ（ステップＳ１２０２）、ジャックゲーム回数が積算され（ステップＳ１２０３）、ジャックゲームが限度回数でなければ（ステップＳ１２０４：Ｎ）、ステップＳ１２０１に戻り、繰り返される。ジャックゲームが限度回数であれば（ステップＳ１２０４：Ｙ）、ゲームセット数が積算され（ステップＳ１２０５）、ゲームセット数が限度回数であれば（ステップＳ１２０６：Ｙ）、ビッグボーナスが終了（ステップＳ１２０７）してリターンする。一方、ゲームセット数が限度回数でなければ（ステップＳ１２０６：Ｎ）、図１１のＧに移行する。すなわち、ビッグボーナス処理の先頭に戻る。
【００５０】
図１３は、ジャックゲーム開始処理の流れを示している。すなわち、１枚メダル投入もしくは（ステップＳ１３０１：Ｙ）、１枚クレジット投入であれば（ステップＳ１３０２：Ｙ）、スタートレバーの操作が有効となる（ステップＳ１３０３）。
【００５１】
図１４は、ジャックゲーム処理の流れを示している。リールの回転処理（ステップＳ１４０１）の後に、ジャックゲーム乱数であれば（ステップＳ１４０２：Ｙ）、ジャックゲーム識別情報が停止し（ステップＳ１４０３）、所定枚数のメダル払い出しもしくはクレジットが行われ（ステップＳ１４０４）、ジャックゲーム獲得枚数が積算される（ステップＳ１４０５）。一方、ジャックゲーム乱数でなければ（ステップＳ１４０２：Ｎ）、はずれ識別情報が停止する（ステップＳ１４０６）。
【００５２】
図１５は、ビッグボーナスゲーム中小役ゲーム処理の流れを示している。まず、はずれ乱数か否かを判定し（ステップＳ１５０１）、はずれ乱数の場合（ステップＳ１５０１；Ｙ）、はずれ識別情報を停止させる。はずれ乱数でなければ（ステップＳ１５０１；Ｎ）、小役乱数成立となり（ステップＳ１５０３）、小役識別情報の停止であれば（ステップＳ１５０４：Ｙ）、所定枚数のメダル払い出しもしくはクレジットが行われ（ステップＳ１５０５）、小役獲得枚数が積算される（ステップＳ１５０６）。一方、小役識別情報の停止でなければ（ステップＳ１５０４：Ｎ）、はずれ識別情報が停止する（ステップＳ１５０７）。
【００５３】
図１６は、レギュラーボーナス遊技処理の流れを示している。本処理では図１３に示すジャックゲーム開始処理（ステップＳ１６０１）と、図１４に示すジャックゲーム処理（ステップＳ１６０２）が順に行われ、ジャックゲーム回数が積算される（ステップＳ１６０３）。そして、積算値がジャックゲーム限度回数でなければ（ステップＳ１６０４：Ｎ）、ステップＳ１６０１に戻り、ジャックゲーム限度回数であれば（ステップＳ１６０４：Ｙ）、レギュラーボーナス遊技処理が終了する。
【００５４】
図１７は、入賞確率テーブルの一例を示している。入賞役抽選手段８６による入賞役の抽選は、図１７に示すような入賞確率テーブル１７００に基づいて行われる。すなわち、一般遊技において入賞役を判定する際には、一般遊技の入賞確率テーブル１７０１の示す確率に従って入賞役が発生するように乱数値の判定が行われる。同様にビッグボーナス時にはビッグボーナス時の入賞確率テーブル１７０２の示す確率に従って入賞役が発生するように乱数値の判定が行われる。特別遊技（小役ゲーム）時には特別遊技の入賞確率テーブル１７０３の示す確率に従って入賞役が発生するように乱数値の判定が行われる。より詳細には、抽選結果として取り得る値の個数に当選確率を乗じた数だけ、当選値を設定し、抽選された乱数値と当選値とを比較することで、入賞役に当選したか否かを判定する。
【００５５】
図１８は、特別遊技抽選手段８８が特別遊技を抽選する際の確率分布の一例を示す確率分布表１８００である。ここでは、小役ゲーム３０回、小役ゲーム２０回およびはずれのそれぞれが３分の１の確率で抽選されるように設定されている。これらの確率分布は適宜に変更することが可能になっている。
【００５６】
図１９から図２１は、特定入賞役の当選に基づいて行われた遊技において特定遊技入賞態様が成立しなかった場合における遊技の流れを示している。図１９（ａ）は、前回の遊技が終了した状態であり、かかる状態でメダルの投入やクレジット数が賭けられる。その後、スタートレバー３１が操作されると図１９（ｂ）に示すように各リール２０ａ〜２０ｃで可変表示が開始する。また内部の乱数抽選において特定入賞役に当選しているので、フラグ成立ランプ４１が点灯する。
【００５７】
図２０（ａ）は、その後、遊技者がストップボタン３２ａ〜３２ｃを押下したことに基づいて可変表示を停止させた結果、特定遊技入賞態様が成立しなかった状態を示している。このとき特別遊技抽選手段８８によって特定入賞役の当選（ビッグボーナス乱数）が消去されるので（図９のステップＳ９０１）、フラグ成立ランプ４１が消灯する。図２０（ｂ）は、特定遊技入賞態様が不成立となったので、第２可変表示装置５２において可変表示が開始された様子を示している。図中の下向き矢印は、図柄が可変表示している状態を模擬表示したものである。
【００５８】
図２１（ａ）は、第２可変表示装置５２における可変表示が停止し、第１当選態様が出現した状態を示している。このように第１当選態様が第２可変表示装置５２に出現することにより、以後、特別遊技状態となり、高確率で小当たり役が成立し得る特別遊技（小役ゲーム）が３０回実行される。なお、第２可変表示装置５２に当選態様が出現したとき、これによって付与される遊技価値の内容を遊技情報表示部５０に表示するようにしてもよい。たとえば、遊技情報表示部５０に「小役ゲーム３０回」なるメッセージを表示する。さらに、特別遊技が開始すると、リール２０ａ〜２０ｃが回転している状態下で、今回の小役ゲームにおいて停止させるべき識別情報を遊技情報表示部５０に案内表示してもよい。たとえば、みかんの図柄を揃える場合には、その図柄を遊技情報表示部５０に表示する等である。また特別遊技での可変表示が停止するごとに、今回の特別遊技状態における特別遊技の残り回数を遊技情報表示部５０に更新表示するように構成してもよい。
【００５９】
以上、本発明の実施の形態を図面によって説明してきたが、具体的な構成はこれらの実施の形態に限られるものではなく、本発明の要旨を逸脱しない範囲における変更や追加があっても本発明に含まれる。例えば実施の形態では、実際に各リールを回転駆動するように構成したが、リールを液晶表示するように構成してもよい。
【００６０】
また実施の形態では、特定入賞役に当選した状態で行われた可変表示の結果として特定遊技入賞態様が不成立となったことが確定表示された後に、第２可変表示装置５２で可変表示を開始させたが、図２２および図２３に示すように、特定入賞役に当選した状態で可変表示を行う際にこれと並行して第２可変表示装置５２での可変表示を開始させてもよい。図２２（ｂ）は、特定入賞役に当選してフラグ成立ランプ４１が点灯している場合には、可変表示装置２０と第２可変表示装置５２で同時に可変表示が開始した様子を示している。図２３（ａ）では、可変表示装置２０での可変表示が先に停止して、特定遊技入賞態様の不成立が確定した状態を示している。図２３（ｂ）は、その後、第２可変表示装置５２の可変表示が停止し、第１当選態様が出現した状態を示している。
【００６１】
なお、第２可変表示装置５２での可変表示を可変表示装置２０より先に停止させる構成としてもよい。この場合、第２遊技に基づく遊技価値を獲得できるか否かが特定遊技入賞態様の成否が判明する前に分かるので、第２遊技での遊技価値を獲得可能な場合には、比較的安心して可変表示装置２０での可変表示の停止操作を行うことが可能となり、獲得不能の場合には可変表示装置２０での可変表示の停止操作により一層集中すべきことを遊技者に促すことができる。
【００６２】
このほか、特定遊技入賞態様の成否にかかわらず、第２可変表示装置５２での可変表示を行う構成としてもよい。すなわち、特定遊技入賞態様に基づく遊技価値だけ、第２遊技での当選態様に基づく遊技価値だけが付与される場合のほか、特定遊技入賞態様に基づく遊技価値と第２遊技での当選態様に基づく遊技価値の双方を遊技者が獲得可能な構成としてもよい。たとえば、フラグが成立している場合には、メダルを投入してスタートレバー３１を操作することによって可変表示装置２０と第２可変表示装置５２の双方で可変表示が開始し、可変表示装置２０で特定遊技入賞態様が出現することによって特定遊技状態が発生し、それに加えて第２可変表示装置５２での当選態様が出現することによってさらなる遊技価値が付与されるように構成してもよい。
【００６３】
また実施の形態では、第２可変表示装置５２での可変表示を機器側の制御によって自動停止させる構成としたが、遊技者の停止操作に基づいて可変表示を停止させる構成であってもよい。たとえば、ストップボタン３２ａ〜３２ｃを兼用し、最初の停止操作では可変表示装置２０の可変表示を停止させ、リール２０ａ〜２０ｃが停止した後の停止操作では第２可変表示装置５２の対応する可変表示部５２ａ〜５２ｃの可変表示を停止させる構成にしてもよい。停止スイッチは別途設けてもよい。
【００６４】
さらに特定遊技状態を、遊技者に有利な小当たりが所定回数だけ通常よりも高確率で発生する一般遊技と複数回の高配当遊技との組合せが複数回行われる特定遊技が実行される状態とし、特別遊技状態を、小当たりが通常よりも高確率で発生する特別遊技が所定回数実行される状態としたが、特定遊技状態や特別遊技状態は、通常よりも有利な条件で遊技者に遊技価値の付与される状態であれば良く、上記した遊技状態に限定されるものではない。また、特別遊技を経由せずに直接、遊技価値を付与する構成としてもよい。
【００６５】
このほか実施の形態では、特定遊技入賞態様が成立しなかったとき直ぐに特定入賞役の当選権利を消去したが、特定遊技入賞態様が成立しなかった場合でも当選権利を（無制限あるいは一定上限回数まで）維持し、特定遊技入賞態様が不成立のたびに第２可変表示装置５２で第２遊技を実行する構成としてもよい。特定遊技入賞態様がすぐに成立しない方が、第２遊技による遊技価値獲得の機会が増えるので、遊技の面白みを増すことができる。しかし、特定遊技入賞態様が不成立であっても当選権利を消去しないものでは、第２遊技に基づく遊技価値が無制限に付与される可能性があるので、これを防止すべく、第２遊技の実行回数、もしくは第２遊技での当選態様の出現回数等に上限を設ける構成にするとよい。
【００６６】
なお特別遊技抽選手段８８による抽選は、入賞役抽選手段８６によって特定入賞役が当選した際に行うようにしてもよい。また無抽選とし、遊技者が停止操作を行ったタイミング通りに第２可変表示装置５２での可変表示を停止させる構成としてもよい。
【００６７】
【発明の効果】
本発明に係るスロットマシンによれば、可変表示装置に加えて、第２可変表示装置を設け、特定入賞役の当選に基づいて可変表示装置で行われた可変表示の結果として特定遊技入賞態様が不成立となった場合であっても、第２可変表示装置で行われた可変表示の結果として予め定めた当選態様が出現した場合には、所定の遊技価値を遊技者に付与するようにしたので、目押しに失敗した場合でも遊技価値獲得の機会が遊技者に与えられ、技量に優れない遊技者においても遊技を充分に楽しむことができる。また、可変表示装置での遊技に加えて第２可変表示装置でも遊技が行われるので、遊技内容が変化に富むものになり、遊技の趣向性や集客力を高めることができる。
【００６８】
特定遊技入賞態様の不成立となった場合に、第２可変表示装置で可変表示が実行されるものでは、特定入賞役の当選によって喚起した遊技者の遊技価値獲得に対する期待感を特定遊技入賞態様が不成立となった後も維持して、遊技を長く楽しませることができる。
【００６９】
特定入賞役の当選に基づいて可変表示装置で可変表示を行うとき、これと並行して第２可変表示装置で可変表示を実行するものでは、２つの可変表示が同時進行するので、遊技内容が変化に富み、かつ遊技者のスリルと興奮を充分に喚起することができる。
【００７０】
特定遊技入賞態様が不成立であっても特定入賞役の当選権利を維持するとともに、当該当選権利が維持されている間に行う第２可変表示装置での可変表示をその実行回数もしくは当選態様の出現回数によって制限したものでは、特定遊技入賞態様が不成立の間に繰り返し実行される第２可変表示装置での可変表示によって無制限に遊技価値が遊技者に付与されることを防止することができる。
【００７１】
当選態様の種類に応じて遊技者に付与する遊技価値の大きさを相違させたものでは、第２可変表示装置にどの種類の当選態様が現れるかにも遊技者の関心が向き、遊技の面白さをさらに増大させることができる。
【００７２】
第２可変表示装置で行われる可変表示を遊技者の停止操作に基づいて停止させるものでは、実質的に目押しのチャンスが２回与えられたことになり、遊技の面白みを増すことができる。
【００７３】
第２可変表示装置に当選態様が出現したことに基づく遊技価値の付与を、小当たりが通常よりも高確率で発生する特別遊技の実行される特別遊技状態を発生させることによって行うものでは、単に遊技価値を付与する場合に比して、特別遊技を通じて遊技者に遊技を充分楽しませつつ、遊技価値を付与することができる。
【図面の簡単な説明】
【図１】本発明の一実施の形態に係るスロットマシンの機能ブロック図である。
【図２】本発明の一実施の形態に係るスロットマシンの斜視図である。
【図３】本発明の一実施の形態に係るスロットマシンで行われる遊技全体の流れを示す流れ図である。
【図４】本発明の一実施の形態に係るスロットマシンで行われるゲーム開始処理を示す流れ図である。
【図５】本発明の一実施の形態に係るスロットマシンで行われる乱数抽出処理を示す流れ図である。
【図６】本発明の一実施の形態に係るスロットマシンで行われるリール回転処理を示す流れ図である。
【図７】本発明の一実施の形態に係るスロットマシンで行われる入賞識別情報判定処理を示す流れ図である。
【図８】本発明の一実施の形態に係るスロットマシンで行われる入賞識別情報判定処理を示す流れ図である。
【図９】本発明の一実施の形態に係るスロットマシンで行われる特別遊技乱数抽出処理を示す流れ図である。
【図１０】本発明の一実施の形態に係るスロットマシンで行われる特別遊技処理を示す流れ図である。
【図１１】本発明の一実施の形態に係るスロットマシンで行われるビッグボーナス遊技処理を示す流れ図である。
【図１２】本発明の一実施の形態に係るスロットマシンで行われるビッグボーナス遊技処理の続きを示す流れ図である。
【図１３】本発明の一実施の形態に係るスロットマシンで行われるジャックゲーム開始処理を示す流れ図である。
【図１４】本発明の一実施の形態に係るスロットマシンで行われるジャックゲーム処理を示す流れ図である。
【図１５】本発明の一実施の形態に係るスロットマシンで行われるビッグボーナス中小役ゲーム開始処理を示す流れ図である。
【図１６】本発明の一実施の形態に係るスロットマシンで行われるレギュラーボーナス遊技処理を示す流れ図である。
【図１７】本発明の一実施の形態に係るスロットマシンで用いる入賞確率テーブルの一例を示す説明図である。
【図１８】本発明の一実施の形態に係るスロットマシンの特別遊技抽選手段が参照する確率分布表の一例を示す説明図である。
【図１９】特定入賞役の当選に基づいて行われた遊技において特定遊技入賞態様が成立しない場合における遊技の流れの一例を示す説明図である。
【図２０】図１９の続きを示す説明図である。
【図２１】図２０の続きを示す説明図である。
【図２２】特定入賞役の当選に基づいて行われた遊技において特定遊技入賞態様が成立しない場合における遊技の流れの他の一例を示す説明図である。
【図２３】図２２の続きを示す説明図である。
【符号の説明】
１０…スロットマシン
１１…箱体
１１ａ…正面
１２…メダル投入口
１３…賞出皿
１３ａ…メダル払出口
１４…スピーカー
２０…可変表示装置
２０ａ…左リール
２０ｂ…中リール
２０ｃ…右リール
３１…スタートレバー
３２ａ…左ストップボタン
３２ｂ…中ストップボタン
３２ｃ…右ストップボタン
３３ａ…３枚賭けボタン
３３ｂ…１枚賭けボタン
３４…クレジット精算ボタン
４１…フラグ成立ランプ
４２…クレジット数表示部
４３ａ〜４３ｅ…有効ライン表示部
４４…ゲームセット数表示部
４５…払出情報表示部
５０…遊技情報表示部
５２…第２可変表示装置
５２ａ…左表示部
５２ｂ…中表示部
５２ｃ…右表示部
８０…ＣＰＵ
８２…遊技制御手段
８４…可変表示制御手段
８６…入賞役抽選手段
８８…特別遊技抽選手段
８９…第２可変表示制御手段
１７００…入賞確率テーブル
１７０１…一般遊技の入賞確率テーブル
１７０２…ビッグボーナス時の入賞確率テーブル
１７０３…特別遊技の入賞確率テーブル
１８００…確率分布表
【図１】
2004049698.tif 000003
【図２】
2004049698.tif 000004
【図３】
2004049698.tif 000005
【図４】
2004049698.tif 000006
【図５】
2004049698.tif 000007
【図６】
2004049698.tif 000008
【図７】
2004049698.tif 000009
【図８】
2004049698.tif 000010
【図９】
2004049698.tif 000011
【図１０】
2004049698.tif 000012
【図１１】
2004049698.tif 000013
【図１２】
2004049698.tif 000014
【図１３】
2004049698.tif 000015
【図１４】
2004049698.tif 000016
【図１５】
2004049698.tif 000017
【図１６】
2004049698.tif 000018
【図１７】
2004049698.tif 000019
【図１８】
2004049698.tif 000020
【図１９】
2004049698.tif 000021
【図２０】
2004049698.tif 000022
【図２１】
2004049698.tif 000023
【図２２】
2004049698.tif 000024
【図２３】
2004049698.tif 000025